(57)【要約】【課題】本発明は、加工機内の胴張りを有する枚葉紙案内胴に関する。【解決手段】本発明の課題は、胴張りを有する枚葉紙案内胴を提供することである。この枚葉紙案内胴は、特に大型の版幅を有する枚葉紙材料を搬送するために設計されたものである。上記課題は、胴張り９が複数の部分胴張りから構成されており、部分胴張りが枚葉紙案内胴１の版幅にわたって設けられており、部分胴張りが、枚葉紙案内胴１の本体に設けられている張設手段１４によって、枚葉紙案内胴の本体に着脱自在に固定可能になっていること、によって解決される。【選択図】図１
2008006822.tif 000002
【特許請求の範囲】
【請求項１】
加工機内の胴張りを有する枚葉紙案内胴であって、
胴溝が設けられている少なくとも１つの枚葉紙保持システムを有する円筒形状の本体と、周方向に設けられている少なくとも１つの胴張りとを備える枚葉紙案内胴において、
前記胴張り（９）は、複数の部分胴張り（Ａ〜ｎ）から構成されており、
前記部分胴張り（Ａ〜ｎ）は、当該枚葉紙案内胴（１）の版幅にわたって設けられており、
前記部分胴張り（Ａ〜ｎ）は、当該枚葉紙案内胴（１）の前記本体に設けられている張設手段（１４）によって、前記本体上に着脱自在に固定可能になっていることを特徴とする枚葉紙案内胴。
【請求項２】
請求項１に記載の枚葉紙案内胴において、
前記部分胴張り（Ａ〜ｎ）は、周方向において２つの胴溝（１６）間に延在しており、
前記部分胴張り（Ａ〜ｎ）それぞれの端部は、それぞれ１つの胴溝（１６）内に設けられている張設手段（１４）によって着脱自在に固定されていることを特徴とする、枚葉紙案内胴。
【請求項３】
請求項１に記載の枚葉紙案内胴において、
周方向において２つの胴溝（１６）間には、少なくとも１つの保持手段（１７）が設けられており、
前記部分胴張り（Ａ〜ｎ）は、周方向において胴溝（１６）と少なくとも１つの保持手段（１７）との間に延在しており、
前記部分胴張り（Ａ〜ｎ）それぞれの端部は、胴溝（１６）内に設けられている張設手段（１４）および保持手段（１７）によって着脱自在に固定されていることを特徴とする枚葉紙案内胴。
【請求項４】
請求項１に記載の枚葉紙案内胴において、
当該枚葉紙案内胴（１）の版幅にわたって複数の張設手段（１４）が設けられており、
部分胴張り（Ａ〜ｎ）の各端部には、張設手段（１４）が個別に対応して設けられていることを特徴とする枚葉紙案内胴。
【請求項５】
請求項１に記載の枚葉紙案内胴において、
当該枚葉紙案内胴（１）の版幅にわたって複数の張設手段（１４）が設けられており、
部分胴張り（Ａ〜ｎ）それぞれの一方の端部には張設手段（１４）が個別に対応して設けられており、他方の端部には保持手段（１７）が対応して設けられていることを特徴とする枚葉紙案内胴。
【請求項６】
請求項１に記載の枚葉紙案内胴において、
前記保持手段（１７）は、版幅にわたって延在していることを特徴とする枚葉紙案内胴。
【請求項７】
請求項１に記載の枚葉紙案内胴において、
前記部分胴張り（Ａ〜ｎ）の側縁部（１０）は、版幅にわたって互いに当接して取り付けられた状態で設けられていることを特徴とする枚葉紙案内胴。
【請求項８】
請求項１に記載の枚葉紙案内胴において、
前記部分胴張り（Ａ〜ｎ）の隣接する前記側縁部（１０）は、版幅にわたって形状結合状態で着脱自在に連結されていることを特徴とする枚葉紙案内胴。
【発明の詳細な説明】
【技術分野】
【０００１】
本発明は、請求項１のプレアンブルに記載の加工機内の胴張りを有する枚葉紙案内胴に関する。加工機としては特に輪転印刷機（ニス引き機を含む）、特に、被印刷材料の加工のための少なくとも２つの印刷装置／ニス引き装置を備えるオフセット印刷機および／またはニス引き装置が適している。
【背景技術】
【０００２】
胴張りを有する枚葉紙案内胴は、輪転印刷機、特に両面印刷機等の加工機において使用されている。この種の輪転印刷機は、単一ドラム反転（Eintrommelwendung）（たとえば特許文献１より公知である）または３ドラム反転（Drei-Trommelwendung）（たとえば特許文献２より公知である）の原理に従う反転装置を有している。代替的に、輪転印刷機は、枚葉紙材料の両側に交互に印刷を行う印刷装置を具備するように構成されていてもよい。この種の枚葉紙印刷機は、たとえば特許文献３から公知になっている。
【０００３】
両面印刷において、枚葉紙案内胴によって担持されている枚葉紙の第１の面に対して印刷および／またはニス引きが行われた後で、第２の面に対して印刷またはヒス引きが行われる。その際、塗りたてのインキまたはニスが、インキ／ニス逆トラッピング（Farb/Lackrueckspaltung）によって、枚葉紙の下側の面（第１の面）から枚葉紙案内胴の周面上に付着する。周面を汚さないために、または枚葉紙上の印刷図柄／ニス図柄を損なわないために、枚葉紙案内胴にはインキ／ニスを弾く表面を有する胴張りが着脱自在に設けられる。
【０００４】
胴張りを有するこの種の枚葉紙案内胴は特許文献４から公知になっている。この枚葉紙案内胴は、インキ逆トラッピング特性および摩耗特性が改善された特殊な表面を有している。この枚葉紙案内胴は円筒形状の本体を有しており、この本体はその上に設けられている少なくとも１つの枚葉紙保持システムと、周方向に設けられている少なくとも１つの胴張りと、を有する。枚葉紙案内胴は、１回転につき１枚の枚葉紙を搬送する大きさの版胴に対して、同じく１回転につき１枚の枚葉紙を搬送する大きさであるかまたは１回転につき複数枚の枚葉紙を搬送する大きさの胴として構成されることができ、よって、周方向で見ると、着脱自在に設けられている１つの胴張りまたは周縁側にて着脱自在に設けられている複数の胴張りを担持している。胴張りは、張設手段によって枚葉紙案内胴上に固定されている。この場合、張設手段は１つのまたは複数の胴溝内に設けられている。これらの胴溝内に枚葉紙保持システムが設けられていることが好ましい。
【０００５】
特許文献５からは、枚葉紙案内胴用のさらなる胴張りが公知となっている。この胴張りは、可撓性を有する材料を含み、張設手段によって枚葉紙案内胴回りに緩やかに固定されて設けられている。
【０００６】
胴張りおよび張設手段は常に、胴軸方向で見て枚葉紙案内胴の全面にわたって延在している。
【特許文献１】東独特許出願公開第５４７０３号明細書
【特許文献２】独国特許出願公開第１１０７２４６号明細書
【特許文献３】独国特許出願公開第３２０３８７９号明細書
【特許文献４】国際公開第０２／０８７８８３号明細書
【特許文献５】米国特許出願公開第６０７３５５６号明細書
【発明の開示】
【発明が解決しようとする課題】
【０００７】
本発明の課題は、冒頭に記載した種類の枚葉紙案内胴を提供することである。この枚葉紙案内胴は、特に大型の版幅の枚葉紙材料を搬送するために設計されたものである。
【課題を解決するための手段】
【０００８】
上記課題は、請求項１に記載の構成上の特徴によって解決される。さらなる構成は従属請求項から明らかになる。
【０００９】
第１の利点は、版幅にわたって設けられた複数の部分胴張りを有するように枚葉紙案内胴を構成することによって、枚葉紙案内胴に対する取り付けおよび取り外しの際に部分胴張りが扱いやすくなる、ということである。部分胴張りを枚葉紙案内胴の周面上に平らに載置しやすくなり、生じる可能性のあるたわみが大幅に減少される。
【００１０】
好適な構成では、枚葉紙案内胴上の部分胴張りそれぞれを別個に調整および張設することができる。
【００１１】
第２の利点は、好適には、版幅にわたってかつさらに周方向（版長）において、枚葉紙材料を担持する枚葉紙案内胴上に複数の部分胴張りを設けることができる、ということである。
【００１２】
第３の利点としては、部分胴張りが、張設手段または保持手段に合うように、隣接する側縁部の領域に任意の形状寸法を有し得る、ということを挙げることができる。一構成では、部分胴張りは対称に設けられている。別の構成では、任意の形態、たとえばＤＩＮ−Ａ４のフォーマット分割に依拠して、１つまたは複数のフォーマットに分割するよう選択することもできるし、加工すべき裁断予定部（Nutzen）を考慮して選択することもできる。
【００１３】
第４の利点は、胴張りを構成する部分胴張りは、インキおよび／またはニスを弾く部分胴張り（コーティングありまたはコーティングなし）に限定されない、ということから明らかになる。この種の胴張りは、簡単な金属製の胴張りとして構成することもできる。たとえば、枚葉紙案内胴は、薄銅板またはクロムプレートから成る部分胴張りを担持し得る。この構成は、好適には部分胴張りを有する枚葉紙案内胴であって、少なくとも１つの分離装置（パフォレータを含む）、たとえば長手方向裁断装置が対応して設けられている、枚葉紙案内胴、に適している。代替的に、金属製の胴張りを構成する部分胴張りが、枚葉紙案内胴上に設けられていてもよい。この枚葉紙案内胴は、隣接するつや付け装置、スリット付け装置、エンボス装置、溝付け装置、刻印装置またはパンチング装置と共働する。
【発明を実施するための最良の形態】
【００１４】
本発明を一実施形態に基づいて詳細に説明する。
【００１５】
枚葉紙状の被印刷材料（枚葉紙材料）を加工するための輪転印刷機は、少なくとも２つの印刷装置／ニス引き装置ＩないしＩＩＩを備える。各印刷装置Ｉ、ＩＩは、胴溝を有するとともに印刷版を担持する版胴４を備える。版胴４には、少なくとも１つのインキ装置が対応して設けられており、必要に応じて湿し装置（図示せず）が対応して設けられている。ここで、印刷版は、着けローラ、特にインキ着けローラによって、印刷インキの形態の媒体でインキングされ、湿し装置を用いる場合には少なくとも１つの着けローラ、特に少なくとも１つの湿し着けローラによって、湿し剤の形態の媒体で湿し着けされる。代替的に、ニス引き装置ＩＩＩは、胴溝を有するとともに印刷版（ゴムブランケットを含む）を担持する版胴５（ニス引き胴５）を備える。この版胴５には、調量システム６が対応して設けられている。ここで、印刷版は、着けローラ、特にこの場合はアニロックス型ニス着けローラおよびチャンバドクターによって、ニスの形態の媒体でニス着けされる。
【００１６】
図１によると、印刷装置Ｉ、ＩＩは、プレート胴として構成されている版胴４と、版胴４に隣接して設けられているゴムブランケット胴３と、を備える。ここで、ゴムブランケット胴３は、枚葉紙材料を搬送方向７に搬送する枚葉紙案内胴１、特に圧胴と共働する。同様に、ニス引き装置ＩＩＩの版胴５には、枚葉紙案内胴１、特に圧胴が対応して設けられている。
【００１７】
枚葉紙材料を搬送方向７に搬送するために、枚葉紙案内胴／圧胴１間には、少なくとも１つの枚葉紙案内胴が渡し胴２として設けられている。
【００１８】
本例では、圧胴／渡し胴として構成されている枚葉紙案内胴１、２は、１回転につき枚葉紙１枚分を搬送する大きさの（einfachgrossen）版胴４、５に対して、１回転につき枚葉紙２枚分を搬送する大きさになるように構成されている。枚葉紙案内胴１、２は、周縁側で正反対の位置に設けられている、枚葉紙保持システム１５を収容するための２つの胴溝１６、すなわち枚葉紙材料用の２つの担持面をそれ自体公知の方法で有している。印刷装置Ｉ、ＩＩの枚葉紙案内胴１間には、たとえば枚葉紙案内胴８が反転装置として設けられている。
【００１９】
図示の反転装置８は後縁部反転（Hinterkantenwendung）の原理に従う単一ドラム反転機として構成されている。代替的に、他の反転装置も使用可能である。
【００２０】
本例では、第２の印刷装置ＩＩおよびニス引き装置ＩＩＩの枚葉紙案内胴／圧胴１はそれぞれ、周面に胴張り９が設けられている。ここで、各胴張り９は、版幅にわたって設けられている複数の部分胴張りＡないしｎから成る。
【００２１】
ニス引き装置ＩＩＩ内で圧胴として構成されている枚葉紙案内胴１（部分胴張りＡ〜ｎを有する）には、必要に応じて作動可能な分離装置１８が対応して設けられていることが好適である。分離装置１８は、たとえばレーザー裁断装置または機械式パフォレーション／裁断装置として構成され得る。
【００２２】
図２には、圧胴よりも２倍の大きさに構成されている枚葉紙案内胴１が図示されている。この枚葉紙案内胴では、２つの胴溝１６が本体の周縁側に設けられている。
【００２３】
図２の正面図では、胴溝１６によって形成されている、枚葉紙材料用の担持面（部分周面）は、３つの部分胴張りＡ、Ｂ、Ｃを担持している。これら部分胴張りは、版幅にわたって、すなわち、枚葉紙案内胴１の胴軸１９の方向に設けられている。部分胴張りＡ〜Ｃは、周方向に２つの胴溝１６間で延在しており、各部分胴張りＡ〜Ｃの端部は、それぞれ１つの胴溝１６内に設けられている張設手段１４によって着脱自在に固定されている。
【００２４】
さらに、この種の枚葉紙案内胴１は、保持手段１７を有し得る。この保持手段は、版幅にわたって延在していることが好ましい。本構成では、保持手段１７は、部分胴張りＡ〜Ｃによって覆われている。すなわち、これら部分胴張りは使用されない。たとえば、この種の保持手段１７は、少なくとも１つのスリット状の溝内に設けられ得る。このスリット状の溝は、版幅にわたって延在するとともに枚葉紙案内胴１の枚葉紙材料用の担持面と一体化されている。
【００２５】
本例では、第１の部分胴張りＡ、第２の部分胴張りＢ、および第３の部分胴張りＣはそれぞれ、胴張り幅１１、１２、１３を有する。本例では、胴張り幅１１ないし１３を足すと、枚葉紙案内胴１の版幅になる。部分胴張りＡないしｎは、側縁部１０を有し得る。この側縁部は、版幅にわたって互いに当接して取り付けられた状態（Stoss-an-Stoss-Montage）で設けられている。図示の場合には、部分胴張りＡ、Ｂ、Ｃは直線状の側縁部１０を有しており、これら側縁部は、版幅にわたって互いに当接して取り付けられた状態で並んで設けられている。
【００２６】
代替的に、側縁部１０は他の構成を有し得る。さらなる一構成では、（直接的に）隣接している側縁部１０が、互いに着脱自在に形状結合状態で連結されるような輪郭線を版幅にわたって有していることが好適である。これによって、部分胴張りＡ〜ｎによって枚葉紙案内胴１上に固定されている胴張り９内に安定した連結部が達成される。同時に、側縁部１０が直線状であることに起因して生じ得る印刷技法上の障害を防止することができるか、または、大幅に低減することができる。
【００２７】
図２に係る部分胴張りＡ〜Ｃは、一方の端部、好適には印刷開始部ＤＡにおいて、少なくとも１つの張設手段１４に着脱自在に固定されている。その際、張設手段１４は、それぞれ１つの胴溝１６内に設けられている。部分胴張りＡ〜Ｃは、他方の端部において、張設手段１４、または代替的には他の保持手段１７によって胴溝１６内に着脱自在に固定可能である。
【００２８】
一構成では、部分胴張りＡ〜ｎが周方向において胴溝１６と少なくとも１つの保持手段１７との間で延在するように、少なくとも１つの保持手段１７が周方向において２つの胴溝１６間に設けられ得る。その際、各部分胴張りＡ〜ｎの端部は、胴溝１６内に設けられている張設手段１４と枚葉紙案内胴１に設けられている保持手段１７とによって着脱自在に固定されている。さらなる一構成では、版幅にわたって複数の張設手段１４が設けられていてもよく、部分胴張りＡ〜ｎの各端部には１つの張設手段１４が個別に対応して設けられていてもよい。さらなる一構成では、版幅にわたって複数の張設手段１４が設けられていてもよく、各部分胴張りＡ〜ｎの一方の端部には１つの張設手段１４が個別に対応して設けられていてもよく、他方の端部には１つの保持手段１７が対応して設けられていてもよい。
【００２９】
図３には、枚葉紙案内胴１の周面上に設けられている部分胴張りＡ〜ｎが、胴溝１６内に折り曲げられた状態で（abgekantet）突出しており、胴溝内で張設手段１４によって着脱自在に溝壁に対して固定されている様子が図示されている。張設手段１４が同時に枚葉紙保持システム１５用のくわえ当接縁部の機能を有することが好適である。張設手段１４を解放すると、または、張設手段１４を解放して搬送方向７に移動させることによって、張設手段の位置１４’において、部分胴張りＡ〜ｎを調整または離脱または交換することができるようになる。部分胴張りＡ〜ｎの他方の端部に設けられている張設／保持手段１４、１７は、これらの部分胴張りＡ〜ｎを端部側で折り曲げた状態または正接する状態で着脱自在に固定することができる。
【００３０】
図４には、２倍の大きさの枚葉紙案内胴１であって、正反対の位置に１８０度ずれた状態で設けられている２つの胴溝１６を有する枚葉紙案内胴が図示されている。枚葉紙案内胴１を４分円２０〜２３に分割した場合、搬送方向７において４分円２０では張設手段１４を有する胴溝１６が設けられている。これら張設手段１４内には、胴軸１９の方向に版幅にわたって設けられている３つの部分胴張りＡ〜Ｃの一方の端部が着脱自在に固定されている。部分胴張りＡ〜Ｃの他方の端部において、枚葉紙案内胴１は、枚葉紙材料を担持する周面内に設けられている保持手段１７を有しており、それにより、これら端部（部分胴張りＡ〜Ｃ）が着脱自在に固定されるようになっている。本例では、保持手段１７は、４分円２０および２１間の領域内に設けられており、版幅の全幅にわたって延在している。
【００３１】
さらに、保持手段１７は、軸溝１９の方向において版幅にわたって設けられている第４〜第６の３つの部分胴張りＤ、Ｅ、Ｆの一方の端部を着脱自在に固定するために、４分円２０および２１間の領域内に収容される。部分胴張りＤ〜Ｆは、搬送方向７において後置されている胴溝１６（４分円２１、２２の領域）まで延在している。この胴溝には、部分胴張りＤ〜Ｆの他方の端部を着脱自在に固定するために張設手段１４が設けられている。
【００３２】
最後の胴溝１６（４分円２１、２２）内にはさらに、張設手段１４が設けられている。この張設手段は、軸溝１９の方向において版幅にわたって設けられている第７〜第９の３つの部分胴張りＧ、Ｈ、Ｉの一方の端部を、着脱自在に固定するために収容する。部分胴張りＧ〜Ｉの他方の端部において、枚葉紙案内胴１は、枚葉紙材料を担持する周面に設けられている保持手段１７を有しており、それにより、この端部（部分胴張りＧ〜Ｉ）を着脱自在に固定する。本例では、保持手段１７は、４分円２２および２３間の領域内に設けられており、版幅の全幅にわたって延在している。
【００３３】
さらに、保持手段１７は、胴軸１９の方向において版幅にわたって設けられている第１０〜第１２の３つの部分胴張りＪ、Ｋ、Ｌの一方の端部を４分円２２および２３間の領域内で着脱自在に固定するために収容する。部分胴張りＪ〜Ｌは、搬送方向７において後置されている胴溝１６（４分円２３、２０の領域）まで延在している。この胴溝には、部分胴張りＪ〜Ｌの他方の端部を着脱自在に固定するために張設手段１４が設けられている。
【００３４】
したがって、この構成では、各胴溝１６には、それぞれ溝壁に対応して設けられているそれぞれ２つの張設手段１４が、部分胴張りＡ〜Ｌの一方の端部を着脱自在に固定するために設けられている。
【００３５】
簡単な構成では、保持手段１７は、その中に胴張りＡ〜ｎの一方の端部が着脱自在に固定される、本体または枚葉紙案内胴１内のノッチまたは継ぎ目であり得る。この種のノッチ／継ぎ目は、たとえば９０°、１８０°、２７０°、３６０°の所定の角度量だけずれた状態で枚葉紙案内胴１の周縁側に設けられていてもよい。さらに、保持手段１７（ノッチまたは継ぎ目の形態の場合も含めて）は、胴軸１９に対して連続的に面一になっていてもよいし（図２）、胴軸１９に対して平行に側方にずれた状態で設けられていてもよい（図５）。
【００３６】
図５では、周縁側で、部分胴張りＡが、張設手段１４および保持手段１７によって枚葉紙案内胴１上に設けられている。また、部分胴張りＤが、この保持手段１７およびさらなる張設手段１４によって枚葉紙案内胴１上に設けられている。この場合、保持手段１７は、胴軸１９に対して面一に胴張り幅１１にわたって延在するように設けられている。さらに、周縁側で、部分胴張りＢが、張設手段１４および保持手段１７によって枚葉紙案内胴１上に設けられている。また、部分胴張りＥが、この保持手段１７およびさらなる張設手段１４によって枚葉紙案内胴１上に設けられている。この場合、保持手段１７’は、第１の分量だけ側方にずれた状態で胴軸１９に対して平行に胴張り幅１２にわたって延在するように設けられている。同様に、周縁側で、部分胴張りＣが、張設手段１４および保持手段１７によって枚葉紙案内胴１上に設けられている。また、部分胴張りＦが、この保持手段１７およびさらなる張設手段１４によって枚葉紙案内胴１上に設けられている。この場合、保持手段１７’’は、第２の分量だけ側方にずれた状態で胴軸１９に対して平行に胴張り幅１３にわたって延在している。
【００３７】
版幅にわたって部分胴張りＡ〜ｎを設けることは、枚葉紙案内胴１が１回転につき枚葉紙１枚分を搬送する大きさである場合、または枚葉紙２枚分を搬送する大きさである場合に限定されない。この種の部分胴張りＡ〜ｎは、枚葉紙案内胴１が周縁側に３つの胴溝１６を有するとともに１回転につき枚葉紙３枚分を搬送する大きさである場合、または枚葉紙案内胴１が周縁側に４つの胴溝１６を有するとともに１回転につき枚葉紙４枚分を搬送する大きさである場合にも固定可能である。同様に、適切な数の保持手段１７〜１７’’を設けることができる。
【００３８】
以上まとめると、ほぼ円筒形状の枚葉紙案内胴１の本体上で周方向に設けられている少なくとも１つの胴張り９は、複数の部分胴張りＡ〜ｎから構成され得る。この場合、部分胴張りＡ〜ｎは、枚葉紙案内胴１の版幅にわたって設けられており、枚葉紙案内胴１の本体に設けられている張設手段１４によって枚葉紙案内胴１の本体に着脱自在に固定可能である。
【図面の簡単な説明】
【００３９】
【図１】２つの印刷装置および１つのニス引き装置を備える輪転印刷機の概略図である。
【図２】大型の版幅用の枚葉紙案内胴の概略正面図である。
【図３】枚葉紙案内胴の胴溝構成の概略図である。
【図４】１回転につき枚葉紙２枚分を搬送する大きさの枚葉紙案内胴の概略側面図である。
【図５】図４の変形例の概略図である。
【符号の説明】
【００４０】
０１  枚葉紙案内胴（圧胴）
０２  枚葉紙案内胴（渡し胴）
０３  ゴムブランケット胴
０４  版胴（プレート胴）
０５  版胴（ニス引き胴）
０６  調量システム
０７  搬送方向
０８  枚葉紙案内胴（反転装置）
０９  胴張り
１０  側縁部（胴張り）
１１  胴張り幅
１２  胴張り幅
１３  胴張り幅
１４  張設手段
１５  枚葉紙保持システム
１６  胴溝
１７  保持手段
１８  分離装置
１９  胴軸
２０  第１の４分円
２１  第２の４分円
２２  第３の４分円
２３  第４の４分円
Ａ  第１の部分胴張り
Ｂ  第２の部分胴張り
Ｃ  第３の部分胴張り
Ｄ  第４の部分胴張り
Ｅ  第５の部分胴張り
Ｆ  第６の部分胴張り
Ｉ  第１の印刷装置
ＩＩ  第２の印刷装置
ＩＩＩ  ニス引き装置
ＤＡ  印刷開始部
【図１】
2008006822.tif 000003
【図２】
2008006822.tif 000004
【図３】
2008006822.tif 000005
【図４】
2008006822.tif 000006
【図５】
2008006822.tif 000007